(57)【特許請求の範囲】
【請求項１】
本体と、この本体と係合関係を維持する移動可能な外郭体と、この本体に遊嵌されて、この本体と前記外郭体とをシールするパッキンとで構成したシール構造であって、
このシール構造は、本体を、ベースに設けた杆体と、この杆体に移動自在に設けられた複数の移動環と、この複数の移動環の端に位置する移動環の端側に設けた係止肩部と、前記移動環間に形成した前記パッキンの逃げ代として役立つ隙間とで構成し、また外郭体を、内周肩部及び多段溝を有する空洞部で構成し、
この本体に外郭体を被嵌した状態で、前記内周肩部への前記係止肩部の係合で、前記移動環に形成した隙間の圧縮を介して前記パッキンを圧縮し、当該移動環外周面と、外郭体の空洞部内周面との摺接隙間をシール可能としたシール構造。
【請求項２】
流体用の管路を備えた本体と、この本体と係合関係を維持する移動可能な外郭体と、この本体に遊嵌されて、この本体と前記外郭体とをシールするパッキンとで構成したシール構造であって、
このシール構造は、本体を、ベースに設けた杆体と、この杆体に移動自在に設けられた複数の移動環と、この複数の移動環の端に位置する移動環の端側に設けた係止肩部と、前記移動環間に形成した前記パッキンの逃げ代として役立つ隙間とで構成し、また外郭体を、内周肩部及び多段溝を有する空洞部で構成し、
この本体に外郭体を被嵌した状態で、前記内周肩部への前記係止肩部の係合で、前記移動環に形成した隙間の圧縮を介して前記パッキンを圧縮し、当該移動環外周面と、外郭体の空洞部内周面との摺接隙間をシール可能とするとともに、前記管路と、前記移動環の外周面と前記空洞部の多段溝等とで構成する流路とを連通可能としたシール構造。
【請求項３】
請求項1又は請求項2の隙間は、移動環の間に形成した、第1隙間と、この第1隙間の外周辺部に設けた弛緩状態のパッキンを収容できる第2隙間とで構成したシール構造。
【発明の詳細な説明】
【０００１】
【発明の属する技術分野】
この発明は、例えば、本体と、この本体と係合関係を維持する外郭体とをシールする多段溝構造のシール構造に関する。
【０００２】
【従来の技術】
従来、装置、又は建物に設置された本体と、この本体と係合関係を維持する外郭体とをシールする多段溝(多段式)のシール構造に関する技術としては、外郭体の空洞部(空洞筒部)に設けた多段溝にパッキンを嵌入し、この多段溝に嵌入したパッキンを、当該本体に被嵌する外郭体の空洞部で強制的に押圧しながら、この押圧状態のバッキンを、この本体の外周面と空洞部の内周面との摺接隙間に設置状態にして、この摺接隙間をシールする構造である。従って、バッキンが、本体の外周面と空洞部との摺接隙間で押圧される過程で、損傷されることが間々発生する。しかし、この状況は、パッキンの押圧過程で判別することが困難視されており、本体に外郭体を被嵌した後で、現実に流体(気体を含む)を挿入した段階で発見されることになり、その取替えに手間と、技術を要すること、又は流体の漏れによる製造等の作業の中断と、二次災害の危険性等があり問題となる。殊に、前記の損傷は、多段溝の周面、又は空洞部の内周面及び／又は多段溝等の肩部等にバリが残る場合には、発生する蓋然性があることから、その改良が、強く望まれている。
【０００３】
この改良の一環として、次のような先行文献(1)がある。この文献(1)は、特開平11-173426号のパッキン構造体である。内容は、シリンダ内に摺接して往復動するプランジャ部周りに組み付けられたパッキン構造体において、断面V字形状で、溝部と、溝部からV字自由端に向かって肉薄に形成した環状のパッキン部材を多数個積層し、この積層間に設けられるこのパッキン部材と相似形でなる断面V字形状の環状のリング部材とからなり、このパッキン構造体を、上下方向から挟み付けながら押圧することにより、積層する各パッキン部材がそれぞれ拡開されて、シリンダ部の内壁に内接する構成であり、シリンダ内の液密性が長期に亙って保持されること、又は摺接部となるシリンダ壁面の偏磨耗が防止されること、等を特徴とする。
【０００４】
【発明が解決しようとする課題】
文献(1)は、シリンダと、このシリンダに嵌挿したプランジャ部との摺接部をシールする構成である。従って、シリンダとプランジャ部との摺接部(嵌合関係)の全体をシールする構造には最適である。しかしながら、パッキン部材を直接数段に積層した構成であるので、各パッキン部材間に流体を流し、この流体が混合しない流路用のシールとしては、採用できない課題がある。またこの構造は、断面V字形状のパッキン部材には、適するが、Oリング、断面方形(角)パッキンには採用できない構成である。従って、前述と同様な課題がある。
【０００５】
【課題を解決するための手段】
請求項1の発明は、本体に設けた多段溝にパッキンを嵌入し、この多段溝に嵌入したパッキンを、本体の空洞部に確実に挿嵌した後、損傷なくシールできる多段溝のシール構造、等を提供することを意図する。また少なくともOリング、角リングの双方に採用できる多段溝のシール構造、等を提供することを意図する。
【０００６】
請求項1は、本体と、本体と係合関係を維持する移動可能な外郭体と、本体に遊嵌されて、本体と外郭体とをシールするパッキンとで構成したシール構造であって、シール構造は、本体を、ベースに設けた杆体と、杆体に移動自在に設けられた複数の移動環と、複数の移動環の端に位置する移動環の端側に設けた係止肩部と、移動環間に形成したパッキンの逃げ代として役立つ隙間とで構成し、また外郭体を、内周肩部及び多段溝を有する空洞部で構成し、本体に外郭体を被嵌した状態で、内周肩部への係止肩部の係合で、移動環に形成した隙間の圧縮を介してパッキンを圧縮し、移動環外周面と、外郭体の空洞部内周面との摺接隙間をシール可能としたシール構造である。
【０００７】
請求項2の発明は、各パッキンで区画された流路に流体を流し、流体が混合しない流路用の多段溝のシール構造、又は本体に設けた多段溝にパッキンを嵌入し、この多段溝に嵌入したパッキンを、本体の空洞部に確実に挿嵌した後、損傷なくシールできる多段溝のシール構造、等を提供することを意図する。また少なくともOリング、角リングの双方に採用できる多段溝のシール構造、等を提供することを意図する。
【０００８】
請求項2は、流体用の管路を備えた本体と、本体と係合関係を維持する移動可能な外郭体と、本体に遊嵌されて、本体と外郭体とをシールするパッキンとで構成したシール構造であって、シール構造は、本体を、ベースに設けた杆体と、杆体に移動自在に設けられた複数の移動環と、複数の移動環の端に位置する移動環の端側に設けた係止肩部と、移動環間に形成したパッキンの逃げ代として役立つ隙間とで構成し、また外郭体を、内周肩部及び多段溝を有する空洞部で構成し、本体に外郭体を被嵌した状態で、内周肩部への係止肩部の係合で、移動環に形成した隙間の圧縮を介してパッキンを圧縮し、移動環外周面と、外郭体の空洞部内周面との摺接隙間をシール可能とするとともに、管路と、移動環の外周面と空洞部の多段溝等とで構成する流路とを連通可能としたシール構造である。
【０００９】
請求項3の発明は、本体に設けた多段溝にパッキンを嵌入し、この多段溝に嵌入したパッキンを、本体の空洞部に、確実かつスムーズに挿嵌した後、損傷の発生を略完全になくようにシールできる多段溝のシール構造、又は少なくともOリング、角リングの双方に採用できる多段溝のシール構造、等を提供することを意図する。
【００１０】
請求項3は、請求項1又は請求項2の隙間は、移動環の間に形成した、第1隙間と、第1隙間の外周辺部に設けた弛緩状態のパッキンを収容できる第2隙間とで構成したシール構造である。
【００１１】
【発明の実施の形態】
以下、本発明の実施の一例を説明する。
【００１２】
装置、又は建物等に設置した本体には、段付土台を介して杆体が立設されている。この杆体に、多数の移動環を遊嵌して、この遊嵌した移動環の間には、それぞれパッキンが介在されていることと、各移動環の間に形成された第1隙間を介してパッキンが弛緩状態で収まっている。この移動環とパッキンが離間しないように、杆体に止めネジを螺着する。この状態では、移動環及び／又はパッキンは、弛緩状態であって、自由な移動が保証されている。またこの移動環及び／又はパッキンの杆体よりの脱外回避が図れること、又はパッキンの塑性変形はない。そして、移動環及び／又はパッキンは、露出した状態であって、外見等の損傷の発見に役立つ利点がある。以後のこの本体及び移動環及び／又はパッキンには、外郭体が被嵌されるが、図1、図2に示すOリングと、図3、図4に示す角リングとを個別に説明する。
【００１３】
先ず、図1、図2に示すOリングについて説明すると、移動環の少なくとも一方肩辺に傾斜部を形成して、パッキンの遊嵌の容易化、弛緩の確保、嵌合時でのOリング（パッキン）の第2隙間の確保等を図ることで、当該Oリングの場合には、スムーズな嵌合(挿嵌)、損傷防止等に役立つことが考えられる。この杆体に設けられた遊嵌状態の移動環と、弛緩状態にあるパッキンに、外郭体を被嵌する。この嵌合動作を進めていくことで、外郭体の空洞部自由端が、段付土台に当接して、図1に示す状態となる。尚、この外郭体の嵌合は、人的手段、機械的(物理的)手段の何れでも可能である。また嵌合は、本体を外郭体の空洞部に嵌入する構成もある(図示せず)。そして、この嵌合過程で、Oリングは、本体外周面と空洞部内周面とで形成される摺接隙間を擦り抜けることになるが、この擦り抜ける際に、当該Oリングは、移動環の間で形成されるやや狭くなった第1隙間と、移動環の外周辺部に設けた傾斜部で形成される第2隙間(第2隙間は「逃げ代」の一例であり、必要の際に設けられる)を利用して(第1隙間及び／又は第2隙間に入り込み)、外郭体の嵌合段部及び／又は多段溝の肩部による(瞬時等)による強制的な押圧による擦れ防止と、スムーズな嵌合が図れる。従って、Oリングは、各摺接隙間及び外郭体の多段溝を通過していく。そして、Oリングの動きがなくなるのは、外郭体の係止肩部と、本体の係止肩部とが衝止し、かつ第1隙間が略完全になくなった段階であって、当該Oリングは、狭くなった第2隙間と、外郭体の内周面との間に存在する。この位置において、摺接隙間を完全に閉塞する（シールする）。このシール状態で、外郭体に設けた複数のポートを利用して、流体、気体等の作動媒体を給排する。
【００１４】
次に、図3、図4に示す角リング（パッキン）について説明すると、移動環の外周面に方形状の第1隙間を形成して、この第１隙間と第2隙間とを介して角リングを遊嵌し、弛緩で挿設できる構成とする。この第1隙間と第2隙間により、角リングの場合には、スムーズな嵌合(挿嵌)、損傷防止等に役立つことが考えられる。この杆体に設けられた遊嵌状態の移動環と、弛緩状態にある角リングに、外郭体を被嵌する。この嵌合動作を進めていくことで、外郭体の空洞部自由端が、段付土台に当接して、図3に示す状態となる。尚、この外郭体の嵌合は、人的手段、機械的(物理的)手段の何れでも可能である。また嵌合は、本体を外郭体の空洞部に嵌入する構成もある(図示せず)。そして、この嵌合過程で、角リングは、本体外周面と空洞部内周面とで形成される摺接隙間を擦り抜けることになるが、この擦り抜ける際に、当該角リングは、移動環の間に形成したやや狭くなった第2隙間に入り込むように塑性変形して摺接隙間を通り抜けるようにして、外郭体の嵌合段部及び／又は多段溝の肩部による(瞬時等)による強制的な押圧による擦れ防止と、スムーズな嵌合が図れる。従って、角リングは、各摺接隙間及び外郭体の多段溝を通過していく。そして、角リングの動きがなくなるのは、外郭体の係止肩部と、本体の係止肩部とが衝止し、かつ第1隙間が略完全になくなった段階であって、当該角リングは、狭くなった第2隙間と、外郭体の内周面との間に存在する。この位置において、摺接隙間を完全に閉塞する（シールする）。このシール状態で、外郭体に設けた複数のポートを利用して、流体、気体等の作動媒体を給排する。
【００１５】
【実施例】
以下、本発明の一実施例を説明する。
【００１６】
1は装置、又は建物に設置された本体で、この本体1は、ベース100に設けた杆体2と、杆体2に移動自在に設けられた複数の移動環3、3、3(3とする)と、この移動環3の一方端の移動環3に設けた係止肩部300と、移動環3間に形成した第1隙間4と、第1隙間4に設けるとともに、杆体2に遊嵌されたパッキン5、5、5(5とする)とで構成する。そして、各移動環3の外周辺部3aに傾斜部301を形成し、この傾斜部301で隙間(第2隙間)6、6、6(6とする)を形成し、この第2隙間6にパッキン5を介在する。このパッキン5は、後述する外郭体の空洞部の内周面による強制的な押圧で、第2隙間6に逃げ込み、摺接隙間Xの通り抜けに最適な構造となっている。尚、本体１の基部には段付土台101が設けられる。
【００１７】
図中7は本体1に杆体2を固止する止めネジを示す。
【００１８】
8は外郭体で、この外郭体8には内周肩部800を有する空洞部801を開設する。この空洞部801は、前記移動環3及びパッキン5に被嵌される構成であり、その下開口部802が、前記段付土台101及び本体1に嵌合し、また内周肩部800が係止肩部300に衝止する構造である。図中803は空洞部801に設けた多段溝、801aは空洞部801の内周面をそれぞれ示す。
【００１９】
9は外郭体8に設けたポート(管路)を示しており、このポート9は、外郭体8の多段溝803及び／又は管路(図示せず)を介して適宜連通し、供給用と排出用として利用する。またポート9は、パッキン5を介して遮蔽されている。そして、ポート9は、各移動環3の外周面3bと空洞部801の多段溝803(内周面801a)等とで構成する流路10と連通する。
【００２０】
【発明の効果】
請求項1の発明は、本体と、本体と係合関係を維持する移動可能な外郭体と、本体に遊嵌されて、本体と外郭体とをシールするパッキンとで構成したシール構造であり、本体を、ベースに設けた杆体と、杆体に移動自在に設けられた複数の移動環と、複数の移動環の端に位置する移動環の端側に設けた係止肩部と、移動環間に形成したパッキンの逃げ代として役立つ隙間とで構成し、また外郭体を、内周肩部及び多段溝を有する空洞部で構成し、本体に外郭体を被嵌した状態で、内周肩部への係止肩部の係合で、移動環に形成した隙間の圧縮を介してパッキンを圧縮し、移動環外周面と、外郭体の空洞部内周面との摺接隙間をシール可能としたシール構造である。従って、本体に設けた多段溝にパッキンを嵌入し、この多段溝に嵌入したパッキンを、本体の空洞部に確実に挿嵌した後、損傷なくシールできる多段溝のシール構造を提供できる。また少なくともOリング、角リングの双方に採用できる多段溝のシール構造を提供できる。
【００２１】
請求項2の発明は、流体用の管路を備えた本体と、本体と係合関係を維持する移動可能な外郭体と、本体に遊嵌されて、本体と外郭体とをシールするパッキンとで構成したシール構造であり、本体を、ベースに設けた杆体と、杆体に移動自在に設けられた複数の移動環と、複数の移動環の端に位置する移動環の端側に設けた係止肩部と、移動環間に形成したパッキンの逃げ代として役立つ隙間とで構成し、また外郭体を、内周肩部及び多段溝を有する空洞部で構成し、本体に外郭体を被嵌した状態で、内周肩部への係止肩部の係合で、移動環に形成した隙間の圧縮を介してパッキンを圧縮し、移動環外周面と、外郭体の空洞部内周面との摺接隙間をシール可能とするとともに、管路と、移動環の外周面と空洞部の多段溝等とで構成する流路とを連通可能としたシール構造である。従って、各パッキンで区画された流路に流体を流し、流体が混合しない流路用の多段溝のシール構造を提供できる。また本体に設けた多段溝にパッキンを嵌入し、この多段溝に嵌入したパッキンを、本体の空洞部に確実に挿嵌した後、損傷なくシールできる多段溝のシール構造を提供できる。更に少なくともOリング、角リングの双方に採用できる多段溝のシール構造を提供できる。
【００２２】
請求項3の発明は、請求項1又は請求項2の隙間は、移動環の間に形成した、第1隙間と、第1隙間の外周辺部に設けた弛緩状態のパッキンを収容できる第2隙間とで構成したシール構造である。従って、本体に設けた多段溝にパッキンを嵌入し、この多段溝に嵌入したパッキンを、本体の空洞部に、確実かつスムーズに挿嵌した後、損傷の発生を略完全になくようにシールできる多段溝のシール構造を提供できる。また少なくともOリング、角リングの双方に採用できる多段溝のシール構造を提供できる。
【図面の簡単な説明】
【図１】本発明のOリングを採用した多段溝を備えたシール構造の断面模式図で、本体に外郭体が嵌合される前の状態を示す
【図２】本発明のOリングを採用した多段溝を備えたシール構造の断面模式図で、本体に外郭体が嵌合後の状態を示す
【図３】本発明の角リングを採用した多段溝を備えたシール構造の断面模式図で、本体に外郭体が嵌合される前の状態を示す
【図４】本発明の角リングを採用した多段溝を備えたシール構造の断面模式図で、本体に外郭体が嵌合後の状態を示す
【符号の説明】
1        本体
100      ベース
101      段付土台
2        杆体
3        移動環
3a       外周辺部
3b       外周面
300      係止肩部
301      傾斜部
4        第1隙間
5        パッキン
6        第2隙間
7        止めネジ
8        外郭体
800      内周肩部
801      空洞部
801a     内周面
802      下開口部
803      多段溝
9        ポート
10       流路
X        摺接隙間
【図１】
0003968265.tif 000002
【図２】
0003968265.tif 000003
【図３】
0003968265.tif 000004
【図４】
0003968265.tif 000005